(57)【特許請求の範囲】
【請求項１】
筒状体に形成されてなる金属製の雨樋であって、
前記筒状体は、略円筒形状とされ、長手方向に沿う開口が形成された樋本体と、該開口を塞ぐ蓋体とを備え、前記開口の幅方向の縁部および前記蓋体の幅方向の側端部のそれぞれには係合部が形成されており、
前記樋本体は、前記開口の幅方向の両方の縁部のそれぞれの外表面側に、前記開口の長手方向に略平行な掛条部が形成されており、
前記蓋体は、幅方向に沿って切断した断面が半円弧よりも小さな円弧形状とされ、前記樋本体に対して、前記係合部同士で係合した状態で前記掛条部間を締め付けることで、前記開口へ嵌着されることを特徴とする雨樋。
【請求項２】
請求項１において、
前記掛条部は凹溝とされ、
前記蓋体の前記係合部は、前記筒状体の内方に突出するように形成された爪片で構成され、前記樋本体の前記係合部は、前記凹溝の裏側に形成された爪受け突部で構成されている、雨樋。
【請求項３】
請求項１または２において、
前記掛条部に掛合する一対の掛合片を有した締付部材をさらに備えている、雨樋。
【発明の詳細な説明】
【技術分野】
【０００１】
本発明は、筒状体に形成されてなる金属製の雨樋に関する。
【背景技術】
【０００２】
従来には、この種の雨樋として、材料にアルミニウムを用い、腐蝕を防止するために表面をアルマイト処理したアルミ雨樋が提案されている（たとえば、特許文献１参照）。アルマイト処理を行えば、アルミニウムの表面にアルマイト皮膜が形成され、耐食性、耐摩耗性が向上する。
【先行技術文献】
【特許文献】
【０００３】
【特許文献１】特開２００２−１３２５８号公報
【発明の概要】
【発明が解決しようとする課題】
【０００４】
ところで、アルマイト処理は、アルミニウム品を電解液に浸し、そのアルミニウム品に陽極をつなぎ、電解液に陰極をつないで電気を流すことで、アルミニウム品の表面にアルマイト皮膜を形成するものである。しかし、雨樋のような中空のパイプ様のものをアルマイト処理する場合、電解液への電極のつなぎ方を工夫しなければ、電気はほとんど内表面をほとんど流れずに外表面だけを流れる。よって、通常のアルマイト処理では、内表面の皮膜処理はなされないか、あるいは、なされたとしても薄い皮膜しか形成されないおそれがある。また、パイプ様の雨樋に塗装により表面処理する場合でも、内表面に対しては当然に処理しにくい。
【０００５】
本発明は、このような事情を考慮して提案されたもので、その目的は、アルマイト処理などの表面処理がしやすい雨樋を提供することにある。
【課題を解決するための手段】
【０００６】
上記目的を達成するために、請求項１に記載の雨樋は、筒状体に形成されてなる金属製の雨樋であって、筒状体は、略円筒形状とされ、長手方向に沿う開口が形成された樋本体と、開口を塞ぐ蓋体とを備え、開口の幅方向の縁部および蓋体の幅方向の側端部のそれぞれには係合部が形成されており、樋本体は、開口の幅方向の両方の縁部のそれぞれの外表面側に、開口の長手方向に略平行な掛条部が形成されており、蓋体は、幅方向に沿って切断した断面が半円弧よりも小さな円弧形状とされ、樋本体に対して、係合部同士で係合した状態で掛条部間を締め付けることで、開口へ嵌着されることを特徴とする。
【０００７】
請求項２に記載の雨樋は、掛条部は凹溝とされ、蓋体の係合部は、筒状体の内方に突出するように形成された爪片で構成され、樋本体の係合部は、凹溝の裏側に形成された爪受け突部で構成されている。
【０００８】
請求項３に記載の雨樋は、掛条部に掛合する一対の掛合片を有した締付部材をさらに備えている。
【発明の効果】
【００１１】
請求項１に記載の雨樋によれば、上述した構成となっているため、雨樋のアルマイト処理などの表面処理がしやすくなる。また、筒状体は樋本体と蓋体の分割部材よりなるが、上述したような締め付け構造となっているため、締め付け用の部材を用いれば設置後に分離するおそれはない。また、上述した構成となっているため、締め付けによる両部材の係合、結合効果は高く、容易には外れにくい。
【００１２】
請求項２に記載の雨樋によれば、上述した構成となっているため、樋本体と蓋体の係合構造と、締め付け構造とを簡易な構造で実現することができる。
【００１４】
請求項３に記載の雨樋によれば、上述した構成となっているため、締付部材を用いることで締め付けを確実に行うことができる。
【図面の簡単な説明】
【００１６】
【図１】本発明の一実施形態に係る雨樋の説明図であり、（ａ）（ｂ）は、樋本体と蓋体との係合、合体構造および合体手順を示す横断面図である。
【図２】雨樋の樋支持具による締め付け構造の例を示す横断面図である。
【図３】（ａ）（ｂ）は、雨樋の樋支持具による締め付け構造の他の例を示す横断面図である。
【図４】（ａ）は他の締付部材による雨樋の締め付け構造を示す横断面図、（ｂ）はその部分斜視図である。
【図５】本発明の他の実施形態に係る雨樋の横断面図である。
【発明を実施するための形態】
【００１７】
以下に、本発明の実施の形態について、添付図面を参照しながら説明する。
まず、本発明の雨樋１の概略基本構成について説明する。
【００１８】
図１および図５に示した雨樋１は、筒状体に形成されてなる金属製の雨樋である。この筒状体は、長手方向に沿う開口１１が形成された樋本体１０と、開口１１を塞ぐ蓋体２０とを備え、開口１１の幅方向の縁部および蓋体２０の幅方向の側端部のそれぞれには係合部１２、２１が形成されている。樋本体１０は、開口１１の幅方向の両方の縁部のそれぞれの外表面側に、開口１１の長手方向に略平行な掛条部１３が形成されている。一方、蓋体２０は、樋本体１０に対して、係合部１２、２１同士で係合した状態で掛条部１３間を締め付けることで、開口１１へ嵌着されるようになっている。
【００１９】
雨樋１はこのような構成となっているため、雨樋１を分離した状態にすれば内表面への表面処理がしやすくなる。特にアルマイト処理をする場合、内表面にも電気が十分に流れやすくなるため、内表面にも外表面と同様の皮膜が形成され得る。また、雨樋１は樋本体１０と蓋体２０の２つの分割部材よりなるが、締め付け構造となっているため、締め付け用の部材を用いて掛条部１３間を締め付ければ、いったん合体させて設置した後に分離する可能性はほとんどない。
【００２０】
ついで、個々の実施形態に係る雨樋１およびそれを支持する樋支持具３０の詳細について説明する。
【００２１】
図１（ａ）（ｂ）に示した雨樋１は、横断面が概ね正円形状のアルミニウム製の竪樋である。この雨樋１は、上述したように、樋本体１０と蓋体２０とが合体されて設置されるようになっている。
【００２２】
樋本体１０には長手方向に沿う開口１１が形成されている。この開口１１に相当する円弧は、中心角が概ね９０度程度のものである。開口１１に面した樋本体１０の縁部には、円内側に突出した凸条が形成されている。
【００２３】
この凸条は、外表面側に形成された凹溝１３ａと表裏の関係にあり、蓋体２０と係合、合体するための係合部１２（以下、本体係合部１２という）を構成する突部である。この本体係合部１２は、さらに山形状に突出した山形凸条を有している。この山形凸条が後述する蓋体２０の爪片２１ａと係合する爪受け突部１２ａである。また、外表面側の凹溝１３ａは開口片１３ｂが溝開口を塞ぐように突出し鉤状に凹んだ溝であり、この凹溝１３ａが後述する締付部材４０を取り付けるための掛条部１３を構成する。なお、本体係合部１２と掛条部１３とは上記の関係になくてもよく、別個に形成されたものであってもよい。
【００２４】
一方、蓋体２０は略円弧形状とされ、円弧部２２と、その幅方向の両端に配置された、上記本体係合部１２と係合する係合部２１（以下、蓋係合部２１という）とを備えている。蓋係合部２１は、蓋体２０を樋本体１０に取り付けたときに円内側に突出するように、円弧部２２の両端から折曲状に形成されており、ばね性を有した爪片２１ａを有している。
【００２５】
爪片２１ａは相互に近づくように「く」の字状に曲がっており、その先端には、蓋体２０を樋本体１０に取り付けたときに本体係合部１２の爪受け突部１２ａの頂部に引っ掛かる爪部２１ｂが形成されている。それぞれの爪部２１ｂの外側には、相互に近づくように傾斜したガイド面２１ｃが形成されている。
【００２６】
また、円弧部２２の両端は中央部より外側にやや膨らんでいる。なお、この例では、図１（ｂ）に示すように、中央部２２ａが２点鎖線で示した正円の円弧よりも凹ませて形成され、そのように中央部２２ａを凹ませることによって円弧部２２の両端に膨出部２２ｂが形成されている。これらの膨出部２２ｂにより爪片２１ａは膨出部２２ｂとともに弾性的に撓みやすくなり、さらに爪部２１ｂのガイド面２１ｃとあいまって、樋本体１０の開口１１への取り付けがしやすくなる。また、膨出部２２ｂは蓋体２０を補強するためのリブ条としても作用する。
【００２７】
図１（ａ）に示すように、蓋体２０を取り付けるために樋本体１０の開口に近づけていくと、爪片２１ａの爪部２１ｂのガイド面２１ｃが樋本体１０の開口端縁１１ａに当たり滑りながら、爪片２１ａは相互に近づくように撓み、さらに押し込むことで爪片２１ａが弾性復帰しながら爪部２１ｂが爪受け突部１２ａに引っ掛かる。こうして、図１（ｂ）に示すように、蓋係合部２１と本体係合部１２とが相互に係合して、両部材が合体する。なお、係合強度を高めるためには、爪片２１ａがばね付勢された状態で係合が保持されるように爪片２１ａを形成することが望ましい。また、両部材は、蓋体２０を樋本体１０の内部空間に配置した状態から外側に押し出すようにして合体することもできる。
【００２８】
また、樋本体１０と蓋体２０とは、係合部の長手方向の全長分について対面させるように係合させなくてもよく、長手方向の端部どうしを係合させてからスライド操作にて合体するようにしてもよい。
【００２９】
このように両部材が係合、合体すると、爪部２１ｂの引っ掛かり、および、爪片２１ａの基部２１ｄと開口端縁１１ａ（本体係合部１２の側端面）との当接により、蓋体２０が外側、内側のいずれに外れることも防止することができる。
【００３０】
このような２部材の合体状態で概ね竪樋として用いることができるが、取り付けた蓋体２０の外側の掛条部１３間を締め付けることで係合部１２、２１同士が外れないようにすることが望ましい。ようするに、開口１１が拡がらないようにすることが望ましい。
【００３１】
具体的には、図３で後述するように掛条部１３に掛合する一対の掛合片４２を有した締付部材４０を用いることが望ましいが、図２および図３（ａ）（ｂ）に例示したような樋支持具３０を用いて締め付けるようにしてもよい。これらの樋支持具３０はいずれも、竪樋の複数の適所に取り付けられる帯板形状の板材よりなる。
【００３２】
図２に示した樋支持具３０は、使用状態では平面視でＹ字形状をなす対称形状の２つの分割材３１ａよりなる樋支持具本体３１と、壁等に固定される板状の固定部材３２とよりなる。
【００３３】
この樋支持具３０は、前端側に二股に分かれた支持片部３３を有した構成とされている。支持片部３３のそれぞれの先端には掛条部１３に掛合する掛合片３３ａが形成されており、支持片部３３の両方で掛条部１３間を締め付ける構成になっている。
【００３４】
具体的には、樋支持具本体３１が、前端側で二股に分かれ、雨樋１に添わせられる支持片部３３と、固定部材３２に取り付ける２片の固定片部３４とを有している。支持片部３３の二股の先端には、鉤溝（凹溝１３ａ）をなす掛条部１３と掛合するための鉤片３３ｂを有した掛合片３３ａが形成されている。
【００３５】
この支持片部３３の掛合片３３ａが樋本体１０の掛条部１３に掛合された状態で、固定片部３４で壁固定された固定部材３２を挟み、ボルト３７、ナット３８の螺着により両固定片部３４を締め付け固定することで、開口１１が拡がらないように掛条部１３間が締め付けられる。なお、掛合片３３ａの掛条部１３への掛合操作は、分割材３１ａごとに分離された状態で行えば、より簡易にできる。
【００３６】
このような樋支持具３０は、竪樋の長手方向の複数個所で竪樋に対して取り付けられて、樋本体１０の開口１１に蓋体２０がしっかりと嵌着され、蓋体２０の外れが回避される。
【００３７】
また、図３（ａ）（ｂ）に示した樋支持具３０はいずれも、雨樋１の周囲に配される環状のバンド部３５と、２片の固定片部３４とよりなる樋支持具本体３１と、壁等に固定される固定部材３２とよりなる。
【００３８】
図３（ａ）の樋支持具本体３１は一体のもので、固定片部３４をばね性に抗して拡げて雨樋１に取り付けされるようになっている。一方、図３（ｂ）の樋支持具本体３１は、２部材をヒンジ部３５ａで回動自在に連結してなり、ヒンジ部３５ａを支軸としてバンド部３５を開いて雨樋１に取り付けされるようになっている。
【００３９】
図３（ａ）（ｂ）に示した樋支持具３０はいずれも、樋本体１０の掛条部１３に掛合する掛合片３３ａ（図２参照）は有していないが、固定片部３４が固定部材３２を挟んだ状態でボルト３７、ナット３８の螺着により締め付けられ、それによりバンド部３５が雨樋１を周方向より緊締し、それと同時に掛条部１３間を締め付けるようになっている。
【００４０】
このように、図２および図３（ａ）（ｂ）に例示したような樋支持具３０を用いれば、他の締付部材４０（図４参照）を用いることなく蓋体２０の樋本体１０からの外れを防止でき、蓋体２０のしっかりとした樋本体１０への係合を保持することができる。
【００４１】
このような樋支持具３０による掛条部１３間の締め付けを補完するために、図４に示したような締付部材４０を用いることができる。この締付部材４０は、図４（ｂ）に示すように、竪樋の長手方向の適所に取り付けられるバンド材である。
【００４２】
締付部材４０は、金属材または合成樹脂材などのばね性を有した材料よりなる。締付部材４０は、図４（ａ）に示すように円弧形状とされ、本体部４１の両端には鉤形状の掛合片４２が形成されている。掛合片４２の鉤片４２ａの外面にはガイド面４２ｂが形成されている。
【００４３】
締付部材４０は、雨樋１の蓋体２０の外面に被せるように、図４（ａ）に示すように取り付ければよい。締付部材４０を図４（ａ）の矢印方向に蓋体２０と近接、接触状態になるまで近づけると、掛合片４２の鉤片４２ａのガイド面４２ｂが凹溝１３ａの開口片１３ｂに当たり、本体部４１の掛合片４２とが弾性的に外側に撓み、鉤片４２ａ間が拡がり、両鉤片４２ａが掛条部１３の凹溝１３ａの開口に嵌まり込む。このようにして取り付けられた締付部材４０は掛条部１３間を締め付ける。
【００４４】
なお、締付部材４０を雨樋１に取り付けやすくするために、締付部材４０の本体部４１の中央等に伸縮自在な素材を介在させてもよい。また、締付部材４０を２部材で構成し、１部材ずつ掛条部１３に掛合させるようにしてもよい。
【００４５】
以上のように、締付部材４０によっても、蓋体２０の樋本体１０からの外れを防止でき、蓋体２０のしっかりとした樋本体１０への係合を保持することができる。特に、樋支持具３０で支持できない部位（たとえば竪樋を這樋として屋根上に配した場合）において有効に用いることができる。このように、締付部材４０を雨樋１の１構成部材として付加してもよい。
【００４６】
また、上述したように蓋体２０は中心角が９０度程度の円弧形状であるため掛条部１３間の押圧力が蓋体２０に幅方向に沿って伝わるので、その押圧力により樋本体１０や蓋体２０が曲がる可能性は低い。なお、中心角は９０度程度が適切だが、これには限定されない。
【００４７】
図５に示した雨樋１は、横断面が四角形の雨樋１である。この雨樋１も開口１１を有した樋本体１０と、その開口１１を塞ぐように取り付けされる蓋体２０とよりなる。
【００４８】
開口１１は、四角形の１辺の大部分が開口するように設けられている。本図例の雨樋１は略正方形の横断面であるため、開口１１の中心角は図１のものと同様、９０度程度である。開口１１を有した１辺の端部には本体係合部１２が形成され、蓋体２０の側端部には蓋係合部２１が形成されている。本体係合部１２は筒状体の内方に向け、先端が相互に近づくように突出した爪受け突部１２ａよりなり、蓋係合部２１は本体係合部１２に係合するＺ字形状の爪片２１ａよりなる。
【００４９】
この蓋体２０の樋本体１０への装着は、図１の雨樋１と同様の手法を採ればよいが、開口１１四角形の１辺の大部分に形成されているため、本体係合部１２が遠ざかるように開口１１を拡げることもしやすく、どのような方法であっても簡単に蓋体２０を装着することができる。
【００５０】
このような形状の係合部１２、２１同士がいったん係合し、両部材が合体すると、蓋体２０は外側、内側のいずれへも外れにくくなる。
【００５１】
この雨樋１はさらに締付部材４０を有している。締付部材４０は本体部４１の両端部側に鉤片４２ａ付きの掛合片４２を備えている一方、樋本体１０における蓋体２０を取り付ける１辺の両隣の辺に突出爪１３ｃよりなる掛条部１３が形成されている。
【００５２】
締付部材４０は、掛合片４２が相互に近づくように内側に少し傾斜しており、その先端の鉤片４２ａにはガイド面４２ｂが形成されている。締付部材４０を図４の直線矢印方向に蓋体２０と近接、接触状態になるまで近づけると、掛合片４２の鉤片４２ａのガイド面４２ｂが突出爪１３ｃの外面に当たり、掛合片４２が弾性的に外側に撓み、鉤片４２ａ間が拡がり、両鉤片４２ａが掛条部１３の突出爪１３ｃに引っ掛かる。このようにして締付部材４０は掛条部１３間を締め付ける。
【００５３】
こうして、四角形の雨樋１においても、締付部材４０によっても、蓋体２０の樋本体１０からの外れを防止でき、蓋体２０のしっかりとした樋本体１０への係合を保持することができる。
【００５４】
また、締付部材４０が有する掛合片４２と同形状の掛合片を備えた樋支持具を用いることで、掛条部１３間を締め付けることもできる。
【００５５】
以上に示した雨樋１によれば、樋本体１０と蓋体２０に分割された構成となっているため、アルマイト処理や塗装などの表面処理がしやすくなる。特にアルマイト処理をする場合、電解液中で露出された内表面にも電気が十分に流れやすくなるため、内表面にも外表面と同様の皮膜が形成され得る。もちろん、内表面への塗装もしやすくなる。そのように内外面に表面処理がなされれば、耐食性、耐摩耗性が向上し、劣化を遅らすことができる。
【符号の説明】
【００５６】
１            雨樋
１０          樋本体
１１          開口
１１ａ        開口端縁
１２          本体係合部（係合部）
１２ａ        爪受け突部
１３          掛条部
１３ａ        凹溝
１３ｂ        開口片
１３ｃ        突出爪
２０          蓋体
２１          蓋係合部（係合部）
２１ａ        爪片
２１ｂ        爪部
２１ｃ        ガイド面
２１ｄ        基部
２２          円弧部
２２ａ        中央部
２２ｂ        膨出部
３０            樋支持具
３１            樋支持具本体
３１ａ          分割材
３２            固定部材
３３            支持片部
３３ａ          掛合片
３３ｂ          鉤片
３４            固定片部
３５            バンド部
３５ａ          ヒンジ部
３７            ボルト
３８            ナット
４０            締付部材
４１            本体部
４２            掛合片
４２ａ          鉤片
４２ｂ          ガイド面
【図１】
0006267258.tif 000002
【図２】
0006267258.tif 000003
【図３】
0006267258.tif 000004
【図４】
0006267258.tif 000005
【図５】
0006267258.tif 000006